(57)【要約】      （修正有）【課題】小さい物品を落して紛失するおそれのないワイヤ溶接自転車かごを提供する。【解決手段】かご本体１に設けられた外カバー２、底板４、およびその後止め板４−１は、かご本体１の下部および底部の網目を塞ぐことができるため、小さい物品が落ちて紛失する現象を回避している。外カバー２、底板４、およびその後止め板４−１は、留め具３−１，４−２を介してかご本体１に固定され、固定構造の信頼性が高い。構造が簡単であり、組み立てやすく、固定が確実であり、ワイヤ溶接自転車かごの品質を高め型式を増やすのに有利である。【選択図】図２
0003208000.tif 000002
【実用新案登録請求の範囲】
【請求項１】
縦方向ワイヤと横方向ワイヤとが溶接されてなるかご本体を含む、組み合わせかご底を有するワイヤ溶接自転車かごにおいて、前記かご本体の外側に、その下部の前側面、両側面、後角部、およびかご本体底部の外周囲面を覆う外カバーが設けられており、かご本体前側面の内側に、外ｓカバー上縁に対応する取り付けストリップが設けられており、外カバー上縁に係合ストリップが設けられており、取り付けストリップと外カバー上縁の同じ位置に係止孔が分布しており、係合ストリップには、前記係止孔に対応して係合連結して外カバー上縁をかご本体前側に固定させる連結留め具が設けられており、前記かご本体底部の内側に底板が設けられており、該底板の周囲は、外カバーの、かご本体底部に位置する周縁部と上下に重なり合い、重なり合う箇所の底板に固定留め具が分布しており、外カバーに、固定留め具に対応する係止孔が分布しており、前記固定留め具が係止孔に係合連結して、底板、かご本体、および外カバーを固定させ、前記底板の後側に、それと一体でありかつかご本体後側下部内面に寄り添う後止め板が設けられており、後止め板の上側辺に、かご本体後側の、対応する横方向ワイヤに固定連結されるフック状留め具が設けられていることを特徴とする、組み合わせかご底を有するワイヤ溶接自転車かご。
【請求項２】
前記外カバーに、間隔を置いて分布する透かし孔が設けられていることを特徴とする請求項１に記載のワイヤ溶接自転車かご。
【請求項３】
前記外カバーの表面に塗料層が設けられていることを特徴とする請求項１に記載のワイヤ溶接自転車かご。
【請求項４】
前記底板に、自転車かご支持体取り付け板に対応する開孔が設けられていることを特徴とする請求項１に記載のワイヤ溶接自転車かご。
【請求項５】
前記底板に、間隔を置いて分布する貫通孔が設けられていることを特徴とする請求項１に記載のワイヤ溶接自転車かご。
【請求項６】
前記後止め板に、間隔を置いて分布する貫通孔が設けられていることを特徴とする請求項１に記載のワイヤ溶接自転車かご。
【請求項７】
前記取り付けストリップに、外カバー上縁に接合される突起が間隔を置いて設けられていることを特徴とする請求項１に記載のワイヤ溶接自転車かご。
【請求項８】
前記係合ストリップは透明体であり、係合ストリップとかご本体との間に発光ストリップが挟持固定されていることを特徴とする請求項１に記載のワイヤ溶接自転車かご。
【請求項９】
前記外カバーの高さＨ２が前記かご本体の高さＨ１の1/4以上で1/2以下であることを特徴とする請求項１に記載のワイヤ溶接自転車かご。
【考案の詳細な説明】
【技術分野】
【０００１】
本考案は電動車両・自転車用のかごに属し、特に、組み合わせかご底を有するワイヤ溶接自転車かごに関する。
【背景技術】
【０００２】
電動車両・自転車用のかごは一般的に、縦方向および横方向のワイヤが溶接されてワイヤ自転車かごのかご体を構成するとともに、縦方向ワイヤが横方向ワイヤの内側に溶接固定される。上記自転車かごは、縦方向ワイヤと横方向ワイヤとが溶接されてなるかご体に、網目が大きいという実際的な問題が存在しており、特に、自転車かごのかご体の下部と底部の網目は、小さい物品が落ちて紛失する現象が生じやすい。
【考案の概要】
【考案が解決しようとする課題】
【０００３】
本考案は、ワイヤ溶接自転車かごに存在する、下部と底部の網目が、小さい物品を落して紛失する現象が生じやすいという技術的問題を解決するために、前記欠点を克服することができる、組み合わせかご底を有するワイヤ溶接自転車かごを開示する。
【課題を解決するための手段】
【０００４】
本考案は、上記目的を果たすために以下の手段を採用する。縦方向ワイヤと横方向ワイヤとが溶接されてなるかご本体を含む、組み合わせかご底を有するワイヤ溶接自転車かごであって、前記かご本体の外側に、その下部の前側面、両側面、後角部、およびかご本体底部の外周囲面を覆う外カバーが設けられており、かご本体前側面の内側に、外カバー上縁に対応する取り付けストリップ（帯材）が設けられており、外カバー上縁に係合ストリップが設けられており、取り付けストリップと外カバー上縁の同じ位置に係止孔が分布しており、係合ストリップには、前記係止孔に対応して係合連結して外カバー上縁をかご本体前側に固定させる連結留め具が設けられている。前記かご本体底部の内側に底板が設けられており、該底板の周囲は、外カバーの、かご本体底部に位置する周縁部と上下に重なり合い、重なり合う箇所の底板に固定留め具が分布しており、外カバーに、固定留め具に対応する係止孔が分布しており、前記固定留め具が係止孔に係合連結して、底板、かご本体、および外カバーを固定させ、前記底板の後側に、それと一体でありかつかご本体後側下部内面に寄り添う後止め板が設けられており、後止め板の上側辺に、かご本体後側の、対応する横方向ワイヤに固定連結されるフック状留め具が設けられている。
【０００５】
本考案は、以下の手段をさらに用いることができる。
前記外カバーに、間隔を置いて分布する透かし孔が設けられている。
前記外カバーの表面に塗料層が設けられている。
前記底板に、自転車かご支持体取り付け板に対応する開孔が設けられている。
前記底板に、間隔を置いて分布する貫通孔が設けられている。
前記後止め板に、間隔を置いて分布する貫通孔が設けられている。
前記取り付けストリップに、外カバー上縁に接合される突起が間隔を置いて設けられている。
前記係合ストリップは透明体であり、係合ストリップとかご本体との間に発光ストリップが挟持固定されている。
前記外カバーの高さＨ２が前記かご本体の高さＨ１の1/4以上で1/2以下である。
【０００６】
本考案の有益な効果および長所は以下の点にある。このワイヤ溶接自転車かごに設けられた外カバー、底板、およびその後止め板は、自転車かごのかご本体の下部および底部の網目を塞ぐことができるため、小さい物品が落ちて紛失する現象を回避している。外カバー、底板、およびその後止め板には、間隔を置いて分布する貫通孔を設けることができ、その目的は、部材の装飾性を高めるか、または、雨水が溜まるのを避けることであるが、貫通孔とワイヤ溶接自転車かごの網目が異なり、小さい物品が落ちて紛失する現象は生じない。本考案の外カバーは、留め具を介して自転車かごのかご本体および底板に固定され、固定構造の信頼性が高い。構造が簡単であり、組み立てやすく、固定が確実であり、ワイヤ溶接自転車かごの品質を高め型式を増やすのにも有利であるという際立った効果を、本考案は有する。
【図面の簡単な説明】
【０００７】
【図１】本考案の実施形態の斜視図である。
【図２】図１の実施形態各部の分解斜視図である。
【図３】自転車かご底部を示す底面図である。
【考案を実施するための形態】
【０００８】
以下、実施形態およびその図面を参照しながら、本考案についてさらに説明する。
図１、２、３に示す実施形態のように、このワイヤ溶接自転車かごは、縦方向ワイヤ１−１と横方向ワイヤ１−２とが溶接されてなるかご本体１を含む。ワイヤ１−１，１−２は鋼、アルミニウム合金のような金属製である。かご本体１の外側に、その下部の前側面、両側面、後角部、およびかご本体底部の外周囲面を覆う外カバー２が設けられており、外カバー２は、かご本体１の後角部に屈曲角部２−１を設けている。かご本体１の最高位の高さＨ１に対して、外カバー２の最高位の高さＨ２は、例えば、Ｈ２＝1/4Ｈ１以上、1/2Ｈ１以下が好ましく、さらにＨ２＝1/3Ｈ１以上、1/2Ｈ１以下がより好ましい。
【０００９】
図２に示すかご本体１前側面の内側、つまり、ワイヤ１−１，１−２の内側に、外カバー２上縁に対応する取り付けストリップ（帯材）５が設けられており、外カバー２上縁の溝７に係合ストリップ３が配置されている。取り付けストリップ５と外カバー２上縁の同じ位置に取り付けストリップ係止孔５−２および係合ストリップ係止孔２−２がそれぞれ分布しており、係合ストリップ３には、前記係止孔に対応して係合連結して外カバー上縁をかご本体前側に固定させる連結留め具３−１が設けられている。
【００１０】
外カバー２上縁をかご本体１に緊密に接合させるため、取り付けストリップ５には、外カバー２上縁に接合される突起５−１が間隔を置いて設けられており、各突起の間は、かご本体１前側の各縦方向ワイヤ１−１に対応する。
【００１１】
また、実施形態の係合ストリップ３は透明体であってもよく、係合ストリップ３とかご本体２上縁の溝との間に発光ストリップが挟持固定されており、発光ストリップには蛍光発光ストリップまたは発光ダイオードランプストリップを採用してもよく、発光ダイオードランプストリップの電源には、従来技術における充電池または自転車用摩擦発電機を採用してもよい。
【００１２】
かご本体１底部の内側に底板４が設けられており、図３に示すように、該底板４の周囲は、外カバー２の、かご本体底部に位置する周縁部と上下に重なり合い、重なり合う箇所の底板４に固定留め具４−３が分布して取り付けられており、外カバー２に、固定留め具４−３に対応する係止孔が分布しており、前記底板の各固定留め具４−３が外カバーの係止孔に係合連結して底板４、かご本体１、および外カバー２を固定させる。
【００１３】
図１，２に示す底板４の後側に、底板４と一体でありかつかご本体１後側下部内面に寄り添う後止め板４−１が設けられており、後止め板４−１の上側辺に、かご本体１後側の、対応する横方向ワイヤ１−２に固定連結されるフック状留め具４−２が設けられている。
【００１４】
図１、２に示す外カバー２の表面に塗料層が設けられていてもよく、外カバー２には、間隔を置いて分布する透かし孔が設けられていてもよい。
図３に示す底板４に、籠体１の底部に自転車かご支持体取り付け板を固定するための開孔４−４が設けられており、底板４とその後止め板４−１にはいずれも貫通孔が間隔を置いて分布していてもよい。
【００１５】
以上の実施形態の連結留め具３−１と固定留め具４−３には、従来技術における傾斜頂部逆フック留め具を採用する。
【００１６】
本考案は以上の実施形態に限定されるものではなく、本考案の要旨を逸脱しない範囲内で、種々の追加、変更または削除が可能である。したがって、そのようなものも本考案の範囲内に含まれる。
【符号の説明】
【００１７】
１  かご本体
２  外カバー
２−１  屈曲角
２−２  係合ストリップ係止孔
３  係合ストリップ
３−１  連結留め具
４  底板
４−１  後止め板
４−２  フック状留め具
４−３  固定留め具
４−４  開孔
５  取り付けストリップ
５−１  突起
５−２  取り付けストリップ係止孔
６  発光ストリップ。
【図１】
0003208000.tif 000003
【図２】
0003208000.tif 000004
【図３】
0003208000.tif 000005